(57)【要約】【課題】弁体にゴミなどが引っかかって、バルブが閉まらなくなる事故を防止できるとともに、貯水量にかかわらず、できるだけ規定された量の雨水を安定して自然放流することができる雨水貯留設備を提供することを目的としている。【解決手段】雨水をいったん貯留する雨水貯留槽と、この雨水貯留槽の側面から貯留された雨水を自然放流するオリフィス排水管とを備える雨水貯留設備であって、オリフィス排水管を複数本備え、各オリフィス排水管にオン−オフ式の開閉バルブが設けられ、貯留された雨水の放流時に、雨水貯留槽中に貯留された雨水の水位に応じて、開閉バルブを開放するオリフィス排水管の本数が自動制御されるようにした。ことを特徴としている。【選択図】      図１
2009185496.tif 000002
【特許請求の範囲】
【請求項１】
雨水を一旦貯留する雨水貯留槽と、この雨水貯留槽の側面から貯留された雨水を自然放流するオリフィス排水管とを備える雨水貯留設備であって、
オリフィス排水管を複数本備え、各オリフィス排水管にオン−オフ式の開閉バルブが設けられていることを特徴とする雨水貯留設備。
【請求項２】
貯留された雨水の放流時に、雨水貯留槽中に貯留された雨水の水位に応じて、開閉バルブを開放するオリフィス排水管の本数が自動制御される請求項１に記載の雨水貯留設備。
【請求項３】
複数のオリフィス排水管が水平に並んで設けられ、貯留された雨水の放流時に、この水平方向に並んだオリフィス排水管の開閉バルブの開放順序を設定された放流回数経過毎に自動的に変更される請求項２に記載の雨水貯留設備。
【請求項４】
複数のオリフィス排水管が高さ方向にずれて設けられ、貯留された雨水の放流時に、低位に位置するオリフィス排水管の開閉バルブを、貯留された雨水の水位が１段高位に設けられたオリフィス排水管の位置あるいはこの１段高位に設けられたオリフィス排水管とさらに１段高位のオリフィス排水管との間に設けられた設定水位になったときに開放するように自動制御される請求項１〜請求項３のいずれかに記載の雨水貯留設備。
【発明の詳細な説明】
【技術分野】
【０００１】
本発明は、雨水をいったん貯留する雨水貯留槽と、この雨水貯留槽の側面から貯留された雨水を自然放流するオリフィス排水管とを備える雨水貯留設備に関する。
【背景技術】
【０００２】
従来から、雨水貯留設備は、主として治水を目的として設置されており、豪雨などが発生した場合に、雨水貯留槽内に雨水を貯留して、雨水を調整するために使用されていた。
【０００３】
また、近年、雨水貯留槽内に貯留した雨水を、公園や学校、ショッピングセンターなどにおけるトイレや緑化施設へ利用できるように、雨水貯留設備を利水の目的に使用する要求が高まってきている。
【０００４】
しかしながら、利水を目的とする雨水貯留設備では、貯留した雨水を所定期間で消費するため、雨水貯留設備の雨水貯留槽の内部には、常に所定量の雨水が保有されていなければならない。ところが、雨水貯留槽内部に雨水を保有している状態で、豪雨などが発生した場合には、雨水貯留槽が短時間で満水になるために、雨水貯留設備の治水の機能を果たすことができなくなってしまうといった問題が生じる。
【０００５】
そこで、本発明の発明者らは、１つの雨水貯留槽と、この雨水貯留槽内に雨水を導く雨水導入手段と、雨水貯留槽内の水を排出する排出手段と、各種計測器により得られた気象データを収集する気象データ収集手段と、この収集した気象データに基づいて雨水貯留槽の貯留水量を制御する貯留水量制御手段と、を有し、前記貯留水量制御手段により、前記気象データに基づいて降雨が予想されるときには雨水貯留槽内に残存する雨水を排出することで雨水貯留槽を治水槽として機能させる一方、前記貯留水量制御手段により、前記気象データに基づいて予想される降雨のおそれのない期間は雨水貯留槽内に残存する雨水を貯留し続けることで雨水貯留槽を利水槽として機能させることを特徴とする雨水貯留設備を先に提案している（特許文献１参照）。
すなわち、上記雨水貯留設備は、雨水貯留槽内に貯水された雨水が気象データによって降雨が予想されるとき以外は、利水目的以外に消費されないので、１つの雨水貯留槽が利水槽として機能するとともに治水槽としても良好に機能する。
【０００６】
ところで、自然放流により上記のような雨水貯留槽や調整池などから貯水を排水する排出手段として、図４に示すように、オンオフバルブ１１０付きのオリフィス排水管１００を一個のみ貯水槽（調整池などを含む）２００に設けたのでは、図５に示すように、水頭圧により自然放流量が大きく変動する。すなわち、雨水貯留槽内の水位が下がってくると、徐々に自然放流量が減ってきて、緊急排水が必要とされる場合に対応できないおそれがある。一方、オリフィス排水管を管径の太いものにすると、緊急排水に対応できるものの、水位が高いと、河川等への排水許容量を超えてしまい、下流域で洪水を引き起こすおそれがある。
【０００７】
そこで、これを改善するため、貯水槽に溜まった雨水は許容される最大の放流量で安定して排出するように、堰堤の下部に設けられた放流口と、前記放流口に連結されて調整池中に配設され、その先端に流入口を有する所定の長さのフレキシブルホースと、前記流入口の少なくとも一部が水面下に位置するように前記フレキシブルホースの先端を浮かせるフロートと、を備える調整池の放流量調整装置（特許文献２参照）、調整池の放流口に設置されてオリフィスを形成する変動手段と、該変動手段を水平方向または鉛直方向に並進自在に案内する案内手段もしくは回動自在に支持する軸支手段と、前記調整池に貯留された雨水に浮かぶフロートと、該フロートと前記変動手段とを直接または動力伝達機構を介して連結する連結手段と、を有し、前記フロートの昇降量に応じて前記変動手段を駆動することによって、前記放流口の開口面積が変動することを特徴とする調整池の放流量調整装置（特許文献３参照）、設定流量を設定し、管路条件による流量制御弁上流側及び下流側の損失水頭係数を用いて前記設定流量に対する損失水頭を算出し、算出した損失水頭及び水位計が検出した水位とから流量制御弁前後の差圧を計算すると共に、弁開度を想定し、流量制御弁の弁開度対容量係数特性曲線から想定した弁開度に対応する容量係数を読み取り、読み取った容量係数と前記差圧とから想定した弁開度に対する流量を算出し、算出流量が設定流量に等しくなる流量制御弁の弁開度を決定して設定し、設定した弁開度に流量制御弁を制御する方法（特許文献４参照）などが提案されている。
【０００８】
しかしながら、上記のようにフロートを利用して放流調整できるようにしたものにおいては、自然界で用いるため、ゴミ等がひっかかってしまい、経時変化で摺動・可動部が動かなくなってしまう可能性がある。そして、摺動・可動部が動かなくなることによって、水位が正確に把握できなくなり、正確な水量を排水できないことが懸念される。
一方、弁開度を制御する方式においては、水位が高く、バルブを非常に狭い開度にしなければならない場合に、バルブの弁体にゴミなどがひっかかってしまい、設定排水量が出なくなるおそれがあり、また、バルブを閉める際ゴミ等が弁体にひっかかったままで、バルブを閉められない、あるいは、バルブが破損してしまう等の不具合が発生するおそれがある。
【０００９】
【特許文献１】特開２００７−１２６９３９号公報
【特許文献２】特開平５−２８００２８号公報
【特許文献３】特開２００７−９６３２号公報
【特許文献４】特開平６−１１９０５７号公報
【発明の開示】
【発明が解決しようとする課題】
【００１０】
本発明は、上記事情に鑑みて、弁体にゴミなどが引っかかって、バルブが閉まらなくなる事故を防止できるとともに、貯水量にかかわらず、できるだけ規定された量の雨水を安定して自然放流することができる雨水貯留設備を提供することを目的としている。
【課題を解決するための手段】
【００１１】
上記目的を達成するために、本発明の請求項１に記載の雨水貯留設備（以下、「請求項１の雨水貯留設備」と記す）は、雨水をいったん貯留する雨水貯留槽と、この雨水貯留槽の側面から貯留された雨水を自然放流するオリフィス排水管とを備える雨水貯留設備であって、オリフィス排水管を複数本備え、各オリフィス排水管にオン−オフ式の開閉バルブが設けられていることを特徴としている。
【００１２】
本発明の請求項２に記載の雨水貯留設備（以下、「請求項２の雨水貯留設備」と記す）は、請求項１の雨水貯留設備において、貯留された雨水の放流時に、雨水貯留槽中に貯留された雨水の水位に応じて、開閉バルブを開放するオリフィス排水管の本数が自動制御されることを特徴としている。
【００１３】
本発明の請求項３に記載の雨水貯留設備（以下、「請求項３の雨水貯留設備」と記す）は、請求項２の雨水貯留設備において、複数のオリフィス排水管が水平に並んで設けられ、貯留された雨水の放流時に、この水平方向に並んだオリフィス排水管の開閉バルブの開放順序を設定された放流回数経過毎に自動的に変更されることを特徴としている。
【００１４】
本発明の請求項４に記載の雨水貯留設備（以下、「請求項４の雨水貯留設備」と記す）は、請求項１〜請求項３のいずれかの雨水貯留設備において、複数のオリフィス排水管が高さ方向にずれて設けられ、貯留された雨水の放流時に、低位に位置するオリフィス排水管の開閉バルブを、貯留された雨水の水位が１段高位に設けられたオリフィス排水管の位置あるいはこの１段高位に設けられたオリフィス排水管とさらに１段高位のオリフィス排水管との間に設けられた設定水位になったときに開放するように自動制御されることを特徴としている。
【００１５】
本発明において、雨水貯留槽は、通常、地下に埋設され、プラスチック製であっても、コンクリート製であっても良いが、安価であるためプラスチック製のものが好ましい。
プラスチック製のものとしては、例えば、耐荷重性能がＴ２５（２５トントラック通過可能耐荷重性能）を保有しており、内部に砂等の堆積物を１箇所に集約しメンテナンス性を向上させたもの（例えば、積水化学工業社製の商品名レインステーション等）が好適である。
【００１６】
オリフィス排水管の径は、バルブの開放によって排水される雨水の最大量が規制の量を上回らなければ特に限定されず、全て同一径でも構わないし、それぞれ異なる径でも構わない。
オリフィス排水管に設けられるバルブとしては、オンオフ構造（全開―全閉）であれば特に限定されないが、通常は電磁バルブ（ソレノイドバルブ）が用いられる。
【００１７】
本発明においては、オリフィス排水管のバルブ操作は手動で行っても構わないが、請求項２〜４の雨水貯留設備のように、自動制御することが好ましい。
本発明において用いられる雨水貯留槽内の水位を測定する水位計としては、特に限定されないが、例えば、静電容量レベル計、フロート式レベル計、超音波レベル計等が挙げられる。
【００１８】
また、本発明の雨水貯留設備は、特に限定されないが、例えば、気象データを収集する気象データ収集手段を備えることが好ましい。
気象データは、特に限定されないが、インターネットを介して気象業務支援センターから送信される降雨データを活用あるいは、各種インターネット上の各種サイトから提供される降雨情報を利用することができる。好ましくは気象業務支援センターから送信される対象区域を１ｋｍメッシュとし６時間後までの降雨予報が可能なデータを活用するのが好ましい。
【発明の効果】
【００１９】
以上のように、本発明の雨水貯留設備は、オリフィス排水管を複数本備えているので、雨水貯留槽内の貯留された雨水の水位に応じてバルブが開放されるオリフィス排水管の本数を変更することができる。すなわち、水位が低くなる程、バルブが開放されるオリフィス排水管の本数を増やすことで、水頭圧が低くなっても所定の排水速度で排水できる。
そして、各オリフィス排水管にオン−オフ式のバルブが設けられているので、弁体部分でのゴミ等がひっかかりことによる不具合が少なく、安定した排水量を保つことができる。
【００２０】
また、請求項２の雨水貯留設備のように、雨水貯留槽中に貯留された雨水の水位に応じて、バルブを開放するオリフィス排水管の本数を制御するバルブ開閉制御手段を備えている構成とすれば、自動的に水位が低くなる程、バルブが開放されるオリフィス排水管の本数を増やすことで、水頭圧が低くなっても所定の排水速度で排水できる。
【００２１】
請求項３の雨水貯留設備のように、複数のオリフィス排水管が水平に並んで設けられ、貯留された雨水の放流時に、この水平方向に並んだオリフィス排水管のバルブの開放順序を設定された放流回数毎に変更するバルブ開閉制御手段を備えている構成とすれば、ＳＳなどが槽底に部分的に滞留することがないようにすることが可能になる。
【００２２】
請求項４の雨水貯留設備のように、複数のオリフィス排水管が高さ方向にずれて設けられ、貯留された雨水の放流時に、低位に位置するオリフィス排水管が、貯留された雨水の水位が１段高位に設けられたオリフィス排水管の位置になったときに、バルブが開放するように制御するバルブ開閉制御手段を備えている構成とすれば、上部のオリフィス排出管から順次開くので、槽底のＳＳを巻き上げることが少なく、ゴミ等がひっかかりによるバルブの不具合も起こりにくくなり、安定的に制御が可能である。
【発明を実施するための最良の形態】
【００２３】
以下に、本発明を、その実施の形態をあらわす図面を参照しつつ詳しく説明する。
図１は、本発明にかかる雨水貯留設備の１つの実施の形態をあらわしている。
【００２４】
図１に示すように、この雨水貯留設備１ａは、１つの雨水貯留槽２と、この雨水貯留槽２内に雨水を導く雨水導入部３と、雨水貯留槽２内の水を排出する３本のオリフィス排水管４ａ，４ｂ，４ｃと、気象データを収集する気象データ収集部５と、制御部６と、を有している。
【００２５】
雨水貯留槽２は、例えば、駐車場等の地下に埋設されていて、貯留水量を検知する水位計２１が設けられているとともに、図示していないが、利水用のポンプと、利水用の配管、この利水用の配管を流れる利水の流量を計測する流量計およびオーバーフロー配管が設けられている。
【００２６】
雨水導入部３は、雨水貯留槽２の上部に設けられており、例えば、集水部である建物の屋上Ｒから樋３２およびマンホール等の集合マス３３を経て流入してくる雨水を雨水貯留槽２に導くように構成され、図示していないが、流量計を備えている。
【００２７】
３本のオリフィス排出管４ａ，４ｂ，４ｃは、雨水貯留槽２の略底の位置に水平に設けられ、オンオフ式の開閉バルブである電磁バルブ４１をそれぞれ備えている。
また、各オリフィス排出管４ａ，４ｂ，４ｃの管径は、雨水貯留槽２内の雨水が最も高水位（以下、「満水位」と記す）のときに、各自治体等によって規定された最大許容排水量（例えば、0.4L/min）の雨水を自然放流可能な管径に設定されている。
電磁バルブ４１は、制御部６に設けられたバルブ開閉手段より出力される開閉信号に応じて開閉されるようになっている。
【００２８】
気象データ収集部５は、例えば、気象業務支援センターから送信される対象区域を１ｋｍメッシュとし６時間後までの降雨予報が可能な気象データを、インターネット回線５０を介して収集できるように図られているとともに、図示していないが、例えば、気圧計、湿度計、露点計、温度計、風向計、風力計、雨量計の計測器を備えていて、これらの計測器で計測されたデータを制御部６に送るようになっている。
【００２９】
制御部６は、図示していないが、バルブ開閉手段を備えたプログラム制御コンピューターのほか、降雨予報データ取得のための通信機器、バルブ制御のためのリレー、およびA/D変換のためのアダプター等を備え、バルブ開閉手段が、気象データ収集部５で収集した気象データならびに水位計２１により計測した貯留水量および上記流量計により計測した流入水量を自動分析し、この分析結果に基づいて電磁バルブ４１の開閉信号を出力し、例えば、以下のようにして、オリフィス排出管４ａ，４ｂ，４ｃを用いて雨水貯留槽２内の雨水を河川等へ自然放流するようになっている。
【００３０】
すなわち、降雨が予想され、降雨予定時刻までに雨水貯留槽２内に貯められた雨水を放流し、雨水貯留槽２に貯水空間を設ける必要があると判断された場合などには、制御部６のプログラム制御コンピューターに送られてきた水位計２１で計測された水位データが満水位（例えば、雨水貯留槽２の底から1500mm）あるいは満水位と第１設定水位（例えば、満水位の２／３の水位）との間であると判断されると、バルブ開閉手段が１本のオリフィス排水管４ａの電磁バルブ４１のみを自動開放し、開放された１本のオリフィス排水管４ａからのみから雨水貯留槽２内に貯められた雨水が河川等に自然放流される。
【００３１】
制御部６のプログラム制御コンピューターに送られてきた水位計２１で計測された水位データが上記第１設定水位あるいは第１設定水位と第２設定水位（例えば、満水位の１／３の水位）との間であると判断されると、バルブ開閉手段が１本のオリフィス排水管４ａの電磁バルブ４１いずれか１本のオリフィス排水管４ａ，４ｂの電磁バルブ４１を自動開放し、開放された２本のオリフィス排水管４ａ，４ｂから雨水貯留槽２内に貯められた雨水が河川等に自然放流される。
制御部６のプログラム制御コンピューターに送られてきた水位計２１で計測された水位データが上記第２設定水位より低い水位であると判断されると、バルブ開閉手段が３本のオリフィス排水管４ａ，４ｂ，４ｃの電磁バルブ４１を自動開放し、開放された３本のオリフィス排水管４ａ，４ｂ，４ｃから雨水貯留槽２内に貯められた雨水が河川等に自然放流される。
【００３２】
なお、放流に伴って水位が第１設定水位、第２設定水位になる場合は、先に開放された電磁バルブ４１は開放されたままで、各設定水位毎に閉じていた電磁バルブ４１が開放されるようになっている。連続的に水位計２１で計測された水位が、最低位まできたと判断される、あるいは、例えば、予想されて気象データから予測される降雨による雨水貯留槽２への流入雨水量が流入可能な空間が確保される予定の水位まで達したと判断されると、バルブ開閉手段からの信号を受けて全てのオリフィス排水管４ａ，４ｂ，４ｃの電磁バルブ４１が閉じられる。
【００３３】
また、この雨水貯留設備１ａにおいては、オリフィス排水管４ａ−オリフィス排水管４ｂ−オリフィス排水管４ｃの順に電磁バルブ４１が開放されて一度放流が完了したのち、バルブ開閉手段がつぎの放流時には、オリフィス排水管４ｂ−オリフィス排水管４ｃ−オリフィス排水管４ａの順に電磁バルブ４１を開放し、さらにつぎの放流時には、オリフィス排水管４ｃ−オリフィス排水管４ａ−オリフィス排水管４ｂの順に電磁バルブ４１を開放するようにプログラム制御コンピューターがプログラムされている。
【００３４】
この雨水貯留設備１ａは、以上のように、雨水貯留槽２の底付近に水平に３本のオリフィス排水管４ａ，４ｂ，４ｃを備え、雨水貯留槽２中に貯留された雨水の水位が下がるにつれて電磁バルブ４１が開放されるオリフィス排水管の本数が増えるようにしたので、水位が下がり水頭圧が低くなっても効率のよい排水速度で自然放流できる。
すなわち、例えば、雨水貯留槽２の満水位が底から１５００ｍｍの位置、第１設定水位が底から１０００ｍｍの位置、第２設定水位が底から５００ｍｍの位置、各オリフィス排水管４ａ，４ｂ，４ｃの自然放流能力が満水位の水頭圧で0.4L/min（各自治体等によって規定された最大許容排水量と同じ）としたとき、図２に示すように、１本のオリフィス排水管のみでは水位が１５００ｍｍのとき、0.4L/minの放流量が得られ、２本のオリフィス排水管を用いた場合、水位が７５０ｍｍのとき、トータルで0.4L/minの放流量が得られ、３本のオリフィス排水管を用いた場合、水位が５００ｍｍのとき、トータルで0.4L/minの放流量が得られる。
【００３５】
また、各オリフィス排水管４ａ，４ｂ，４ｃの開閉バルブが、オン−オフ式の開閉バルブである電磁バルブであるので、弁体部分でのゴミ等がひっかかりことによる不具合が少なく、安定した排水量を保つことができる。
さらに、オリフィス排水管４ａ−オリフィス排水管４ｂ−オリフィス排水管４ｃの順に電磁バルブ４１が開放されて一度放流が完了したのち、バルブ開閉手段がつぎの放流時には、オリフィス排水管４ｂ−オリフィス排水管４ｃ−オリフィス排水管４ａの順に電磁バルブ４１を開放し、さらにつぎの放流時には、オリフィス排水管４ｃ−オリフィス排水管４ａ−オリフィス排水管４ｂの順に電磁バルブ４１を開放するようになっているので、ＳＳなどが雨水貯留槽２の底に部分的に滞留して、オリフィス排水管の入口が詰まったりすることがないようにできる。
【００３６】
図３は、本発明にかかる雨水貯留設備の他の実施の形態をあらわしている。
【００３７】
図３に示すように、この雨水貯留設備１ｂは、雨水貯留槽２に電磁弁４１を備えた３本のオリフィス排水管４ｄ，４ｅ，４ｆを備え、例えば、これらのオリフィス排水管４ｄ，４ｅ，４ｆのうち、オリフィス排水管４ｄが雨水貯留槽２の側壁面の満水位の２／３の水位に相当する位置、オリフィス排水管４ｅが満水位の１／３の水位に相当する位置、オリフィス排水管４ｅが雨水貯留槽２の底付近に設けられている。
また、各オリフィス排水管４ｄ，４ｅ，４ｆは、満水位の１／３の水位と同じ水頭圧がかかったとき、各自治体等によって規定された最大許容排水量と同じ放流量で自然放流できる径に設定されている。
【００３８】
そして、水位がオリフィス排水管４ｄの位置まで下がってくるまでは、オリフィス排水管４ｄの電磁バルブ４１のみが開放されて、雨水貯留槽２内の雨水がオリフィス排水管４ｄからのみ自然放流され、水位がオリフィス排水管４ｄの位置になると、オリフィス排水管４ｅの電磁バルブ４１が開放されて水位がオリフィス排水管４ｅの位置まで下がってくるまでは、雨水貯留槽２内の雨水がオリフィス排水管４ｅからのみ自然放流され、水位がオリフィス排水管４ｅの位置になると、オリフィス排水管４ｆの電磁バルブ４１が開放されて水位がオリフィス排水管４ｆの位置まで下がってくるまでは、雨水貯留槽２内の雨水がオリフィス排水管４ｆからのみ自然放流されるように構成した。
また、その他の構成は、上記雨水貯留設備１ａと同様になっている。
【００３９】
この雨水貯留設備１ｂは、以上のように、各オリフィス排水管４ｄ，４ｅ，４ｆの開閉バルブが、オン−オフ式の開閉バルブである電磁バルブ４１であるので、上記の雨水貯留設備１ａと同様にバルブ部分でのゴミ等がひっかかりことによる電磁バルブ４１の不具合が少なく、安定した排水量で自然放流することができる。
また、上部のオリフィス排出管から順次自然放流されるので、雨水貯留槽２の底のＳＳを巻き上げることが少なく、ゴミ等がひっかかりことによる不具合も起こりにくくなり、安定的に制御が可能である。
【００４０】
本発明は、上記の実施の形態に限定されない。例えば、上記の実施の形態では、放流一回毎に開放する電磁バルブを切り替えていたが、数回の放流経過毎に切り替えてもよいし、
週単位等の一定期間毎に切り替えても構わない。
上記の実施の形態では、水平方向あるいは高さ方向のいずれかに３本のオリフィス排水管が並ぶように設けられていたが、本数は2本あるいは４本以上でも構わないし、水平方向および高さ方向の両方に複数本ずつのオリフィス排水管を設けるようにしても構わない。
【００４１】
上記の実施の形態では、自然放流によってのみ雨水貯留槽の雨水が排水されるようになっていたが、緊急の際や雨水貯留槽内に清掃時などには、利水用の配管を利用して排水を行うようにしても構わないし、別途ポンプ等で排水できる強制排水管を設け、強制排水管から排水できるようにしても構わない。
上記の実施の形態では、気象データ収集部で収集した気象データに基づいて雨水貯留槽の貯留水量を制御するようにしていたが、気象データ収集部はなくても構わない。
【図面の簡単な説明】
【００４２】
【図１】本発明にかかる雨水貯留設備の１つの実施の形態を模式的に説明する図である。
【図２】オリフィス排水管の本数と、自然放流量の関係を示すグラフである。
【図３】本発明にかかる雨水貯留設備の他の実施の形態の雨水貯留槽部分を模式的に説明する図である。
【図４】従来の雨水貯留設備の雨水貯留槽部分を模式的に説明する図である。
【図５】１本のオリフィス排水管を用いて自然放流した場合の水位と放流量との関係を示すグラフである。
【符号の説明】
【００４３】
１ａ，１ｂ  雨水貯留設備
２  雨水貯留槽
４ａ，４ｂ，４ｃ，４ｄ，４ｅ，４ｆ  オリフィス排水管
４１  電磁バルブ（オン−オフ式の開閉バルブ）
【図１】
2009185496.tif 000003
【図２】
2009185496.tif 000004
【図３】
2009185496.tif 000005
【図４】
2009185496.tif 000006
【図５】
2009185496.tif 000007